(57)【要約】【課題】プラズマ熱エネルギーを利用したシステム及び装置を提供する。【解決手段】プラズマトーチ１のプラス電極２とマイナス電極３との間に形成された窒素ガスまたは水などの供給通路４に窒素ガスや空気、水などの原料を供給しつつ、プラス電極２とマイナス電極３の間に放電させることによって、プラズマ熱エネルギー５を取り出す。取り出したプラズマ熱エネルギーを利用してはんだ付けを行う。【選択図】  図１
2007196286.tif 000002
【特許請求の範囲】
【請求項１】
プラズマではんだ付けを行うシステムと方法、及び装置。
【請求項２】
プラズマを発生させ、イオン化したプラズマ中でプラズマ熱エネルギーを利用したはんだ付け方法。
【請求項３】
プラズマを利用したフラックスフリーのはんだ付け方法とその技術。
【請求項４】
プラズマで金属表面を金属素材の表面酸化膜を剥離して無垢な素材表面に戻すことにより、フラックスフリー（ハロゲンフリー）のはんだ付けを行う技術。
【請求項５】
プラズマ中で金属表面をイオン解質させ、金属素材の表面酸化皮膜を除去し、又はんだ付けをしようとするワークの金属表面の酸化皮膜を除去することでフラックスレスのはんだ付けを可能とした。
【請求項６】
プラズマによる金属・ガラス・セラミックス及びゴム・樹脂・木皮などあらゆる表面の洗浄とそのシステム及び洗浄機
【請求項７】
プラズマによる電機及びガス・水・［水＋アルコール］混合液体等の洗浄システム及びその方法と装置。
【請求項８】
プラズマ空気清浄機のシステムとその方法と装置
【請求項９】
プラズマを利用したレンジ・コンロ・調理器
【請求項１０】
プラズマを利用したリフロー及びフローはんだ付けシステム技術とその装置の発明。
【請求項１１】
プラズマを利用したはんだこて及びはんだ付けロボット、はんだ槽のシステム技術とその装置の発明。
【請求項１２】
プラズマを利用した医療技術応用とシステム技術の発明とその装置。
【請求項１３】
プラズマによる人間及び動物の皮膚の表面解質と洗浄方法。
【請求項１４】
プラズマを利用した水虫やカビ類の滅菌方法と消毒方法。
【請求項１５】
プラズマを利用したアレルギー治療方法。
【請求項１６】
プラズマを利用した皮のなめし方法。
【請求項１７】
プラズマを利用した静電気除去方法。
【請求項１８】
プラズマを利用した塗装方法。
【請求項１９】
プラズマを利用した新しいエネルギーの発明とその技術。
【請求項２０】
プラズマを利用した発電システムの発明と技術。
【請求項２１】
プラズマを利用した車・飛行機・船などの乗り物の発明とその技術。
【請求項２２】
プラズマを利用したゴミ処理装置。
【請求項２３】
プラズマを利用した金属の焼き入れと焼き戻し焼ぞんの方法。
【請求項２４】
プラズマを利用した樹脂の溶融と接着技術。
【請求項２５】
プラズマを利用したロボットの技術とその方法。
【請求項２６】
プラズマによる塗装のはがし方とそのシステム。
【請求項２７】
プラズマによるアスベストの無害化処理方法。
【請求項２８】
プラズマによるＮＯｘ、ＳＯｘ、ＣＯ、ＣＯ２や有害ガス、ダイオキシン等の分解方法とシステム。
【請求項２９】
銅線や金属線類の絶縁被膜の剥離処理システムとその方法。
【発明の詳細な説明】
【技術の分野】
【０００１】本発明はプラズマエネルギーを利用した技術とシステム及び装置の発明です。
【背景技術】
【０００２】一般的にプラズマは自然界における雷であり、プラズマを発生させる方法はトランスファー方式とノントランスファー方式がある。【０００３】−電極と＋電極からなり、安定した電圧と電流による制御により、プラズマを発生させる。その中に熱エネルギーとなる空気や水、不活性ガスや混合ガス、混合液体と様々な素材を供給することでプラズマ熱エネルギーを取り出すことが出来る。
【発明の開示】
【発明が解決しようとする課題】
【０００４】プラズマ熱エネルギーとなる原料が、空気であれば空気プラズマ熱エネルギーとなり、水であれば水プラズマ熱エネルギーとなる。また窒素であれば窒素プラズマ熱エネルギーとなる。【０００５】プラズマ熱エネルギーは自然界に無尽蔵にあり、安価で安定である。【０００６】どのプラズマ熱エネルギーを採用するかは、目的によって最適なものを選べばよい。
【課題を解決する為の手段】
【０００７】たとえばフラックスフリー、フラックスレスのはんだ付け方法を考えたとき、窒素ガスプラズマやＣＯ２プラズマ、アルゴンプラズマなどの不活性ガスによる熱エネルギーを利用したはんだ付け方法を考える。
【０００８】プラズマイオンと熱プラズマにより金属の表面解質が起こり、フラックスなどのフラックスなどの活性剤やハロゲン物質などのやっかいな触媒的な化学物質にたよらずともよい。
【図面の簡単な説明】
【０００９】プラズマのもつ自然化学反応で、優しいはんだ付けを可能にしたことを発明した。【００１０】例としてはんだ付け方法を述べたが、全ての請求項についてもプラズマ中で起こる自然な反応であり、自然にやさしい熱エネルギーとなる。
【発明の効果】
【００１１】プラズマ溶接やプラズマテレビなどいろんなものにプラズマが使用されてきているが、もっとプラズマを利用したアプリケーションのシステム技術を応用することでプラズマ革命とも言える２１世紀社会の産業技術構造社会へと変貌する発明である。
【実施例】
2007196286.tif 000003
【産業への利用の可能性】
【００１３】請求項にも挙げたがあらゆる分野で可能性がある。いわゆるロボットアトムの世界を実現可能な技術である。いわゆる空気そのもの、水そのものがプラズマを利用することで空気プラズマ熱エネルギーや水プラズマ熱エネルギーとなる。応用範囲は無限大である。
【手続補正書】
【提出日】平成18年8月18日(2006.8.18)
【手続補正１】
【補正対象書類名】明細書
【補正対象項目名】全文
【補正方法】変更
【補正の内容】
【発明の詳細な説明】
【技術分野】
【０００１】
本発明はプラズマエネルギーを利用した技術とシステム及び装置の発明に関する。
【背景技術】
【０００２】
一般的にプラズマは自然界に於ける雷であり、プラズマを発生させる方法はトランスファー方式とノントランスファー方式がある。
【０００３】
マイナス電極とプラス電極からなり、安定した電圧と電流による制御により、プラズマを発生させる。その中に熱エネルギーとなる空気や水、不活性ガスや混合ガス、混合液体と様々な素材を供給することでプラズマ熱エネルギーを取り出すことができる。
【発明の開示】
【発明が解決しようとする課題】
【０００４】
プラズマ熱エネルギーとなる原料が、空気であれば空気プラズマ熱エネルギーとなり、水であれば水プラズマ熱エネルギーとなる。また窒素であれば窒素プラズマ熱エネルギーとなる。
【０００５】
プラズマ熱エネルギーは自然界に無尽蔵にあり、安価で安定である。
【０００６】
どのプラズマ熱エネルギーを採用するかは、目的によって最適なものを選べばよい。
【課題を解決するための手段】
【０００７】
例えば、フラックスフリー、フラックスレスのはんだ付け方法を考えたとき、窒素ガスプラズマや炭酸ガスプラズマ、アルゴンプラズマなどの不活性ガスによる熱エネルギーを利用したはんだ付け方法を考える。
【０００８】
プラズマイオンと熱プラズマにより金属の表面解質が起こり、フラックスなどの活性剤やハロゲン物質などのやっかいな触媒的な科学物質にたよらずともよい。
【発明の効果】
【０００９】
プラズマ溶接やプラズマテレビなどいろいろなものにプラズマが使用されてきているが、もっとプラズマを利用したアプリケーションのシステム技術を応用することでプラズマ革命ともいえる２１世紀社会の産業技術構造社会へと変貌する発明である。
【発明を実施するための最良の形態】
【００１０】
図１にプラズマエネルギーを利用した装置を示す。図に示すように、プラズマトーチ１には、プラス電極２とマイナス電極３との間に窒素ガスまたは水などの供給通路４が形成されており、この供給通路４に窒素ガスや空気、水などの原料を供給しつつ、プラス電極２とマイナス電極３の間に放電させることによって、プラズマ熱エネルギー５を取り出すことができる。
【００１１】
そして取り出したプラズマ熱エネルギーを利用してはんだ付けを行うことができる。
【００１２】
このように、プラズマのもつ自然化学反応で、優しいはんだ付けを可能にしたことを発明した。
【００１３】
例としてはんだ付け方法を述べたが、すべての請求項についても、プラズマ中で起こる自然な反応であり、自然に優しい熱エネルギーとなる。
【産業上の利用可能性】
【００１４】
請求項にも挙げたがあらゆる分野で可能性がある。いわゆるロボットアトムの世界を実現可能な技術である。いわゆる空気そのもの、水そのものがプラズマを利用することで空気プラズマ熱エネルギーや水プラズマ熱エネルギーとなる。応用範囲は無限大である。
【図面の簡単な説明】
【００１５】
【図１】プラズマトーチの構成を説明する図である。
【符号の説明】
【００１６】
１                        プラズマトーチ
２                        プラス電極
３                        マイナス電極
４                        供給通路
５                        プラズマ熱エネルギー
【手続補正２】
【補正対象書類名】図面
【補正対象項目名】全図
【補正方法】追加
【補正の内容】
【図１】
2007196286.tif 000004